(57)【要約】  【課題】台車13の移動速度に関係なく、台車13の送出ベルト19の送出速度を任意に設定し、物品を確実に仕分ける物品仕分装置11を提供する。  【解決手段】物品を搭載するとともに台車移動方向に対して交差する方向へ向けて搭載された物品を送り出す送出ベルト19を有する台車13が、移動経路に沿って台車移動方向に移動する。台車13には、台車移動方向に対して交差する軸26を中心として回転可能でその回転と送出ベルト19による物品の送り出しとが連動する回転部27を設ける。移動経路の仕分位置に、台車移動方向に沿った方向に回転するベルト35を有するベルトコンベヤ36を設ける。ベルトコンベヤ36を台車13の回転部27に対して接離させることにより、台車13の移動速度に関係なく、台車13の送出ベルト19の送出速度を任意に設定し、物品を確実に仕分ける。  【選択図】図１
2005350169.tif 000002
【特許請求の範囲】
【請求項１】
移動経路に沿って台車移動方向に移動し、物品を搭載するとともに台車移動方向に対して交差する方向へ向けて搭載された物品を送り出す物品送出部、および台車移動方向に対して交差する軸を中心として回転可能でその回転と前記物品送出部による物品の送り出しとが連動される回転部を有する台車と、
前記移動経路の仕分位置に設けられ、前記台車移動方向に沿った方向に移動可能で前記台車の回転部の周面に対向して配設された移動体、およびこの移動体を台車移動方向に沿った方向に移動させる駆動部を有する駆動手段と、
この駆動手段の移動体を前記台車の回転部に対して接離させる接離手段と
を具備していることを特徴とする物品仕分装置。
【請求項２】
駆動手段は、移動体として台車移動方向に沿った方向に回転可能な無端状のベルトを有し、駆動部がベルトを回転駆動するベルトコンベヤにて構成されている
ことを特徴とする請求項１記載の物品仕分装置。
【請求項３】
駆動手段は、駆動部を制御して移動体の移動を任意に可変させる制御部を有している
ことを特徴とする請求項１または２記載の物品仕分装置。
【請求項４】
駆動手段は、回転部の軸を中心として対称な両側にそれぞれ配設され、
接離手段は、前記回転部の両側の各駆動手段毎にそれぞれ設けられている
ことを特徴とする請求項１ないし３いずれか記載の物品仕分装置。
【発明の詳細な説明】
【技術分野】
【０００１】
本発明は、物品を仕分ける物品仕分装置に関する。
【背景技術】
【０００２】
従来、複数の台車を一連に連結し、これら連結した台車を例えばループ状のレール部で構成される移動経路に沿って移動させ、そして、各台車が備えたベルト上に仕分対象物である物品を搭載し、移動経路における所定の仕分位置に台車が到達する際に、台車のベルトを回転させて台車の側方へ物品を払い出して仕分ける物品仕分装置がある。
【０００３】
このような物品仕分装置では、各台車にベルトを回転させるための電動機を備えずに仕分位置でベルトを回転させることができるようにした構成が知られている。すなわち、台車にはベルトの回転と連動する回転部を設け、仕分位置には台車の回転部が接触可能とする接触板およびこの接触板を回転部に接離させるシリンダなどを設け、そして、仕分位置に仕分ける物品を搭載した台車が到達する際、接触板を台車の回転部に接触させることにより、回転部が回転するとともにこの回転部の回転に連動してベルトが回転し、物品を払い出す構造になっている（例えば、特許文献１、２参照。）。
【特許文献１】特開平１−２６７２１２号公報（第３−４頁、第１−４図）
【特許文献２】特開平１０−３５８７６号公報（第４−５頁、図１−７）
【発明の開示】
【発明が解決しようとする課題】
【０００４】
しかしながら、台車の回転部と接触板との接触で台車のベルトが回転する物品仕分装置では、台車の移動速度とベルトの回転速度とが比例し、台車の移動速度に対してベルトの回転速度を任意に設定することができず、物品の仕分が確実でない問題がある。
【０００５】
例えば、台車の移動速度が高速であると、台車の回転部と接触板との接触で台車のベルトが急激に高速回転し、ベルト上の物品が転倒したり、ベルトと物品との間や回転部と接触板との間に滑りが発生して物品を確実に払い出して仕分けることができないことがあり、また、台車の移動速度が低速であると、仕分能力が低下する。
【０００６】
本発明は、このような点に鑑みなされたもので、台車の移動速度に関係なく、台車の物品送出部の送出速度を任意に設定でき、物品を確実に仕分けることができる物品仕分装置を提供することを目的とする。
【課題を解決するための手段】
【０００７】
請求項１記載の物品仕分装置は、移動経路に沿って台車移動方向に移動し、物品を搭載するとともに台車移動方向に対して交差する方向へ向けて搭載された物品を送り出す物品送出部、および台車移動方向に対して交差する軸を中心として回転可能でその回転と前記物品送出部による物品の送り出しとが連動される回転部を有する台車と、前記移動経路の仕分位置に設けられ、前記台車移動方向に沿った方向に移動可能で前記台車の回転部の周面に対向して配設された移動体、およびこの移動体を台車移動方向に沿った方向に移動させる駆動部を有する駆動手段と、この駆動手段の移動体を前記台車の回転部に対して接離させる接離手段とを具備しているものである。
【０００８】
そして、移動経路の仕分位置に、台車移動方向に沿った方向に回転可能で台車の回転部の周面に対向して配設された移動体、およびこの移動体を移動させる駆動部を有する駆動手段を設け、この駆動手段の移動体を台車の回転部に対して接離させることにより、台車の移動速度に関係なく、台車の物品送出部の送出速度を任意に設定可能となり、物品が確実に仕分けられる。
【０００９】
請求項２記載の物品仕分装置は、請求項１記載の物品仕分装置において、駆動手段は、移動体として台車移動方向に沿った方向に回転可能な無端状のベルトを有し、駆動部がベルトを回転駆動するベルトコンベヤにて構成されているものである。
【００１０】
そして、駆動手段をベルトコンベヤにて構成したことにより、簡単な構成で、台車の物品送出部の送出速度を容易に設定可能となる。
【００１１】
請求項３記載の物品仕分装置は、請求項１または２記載の物品仕分装置において、駆動手段は、駆動部を制御して移動体の移動を任意に可変させる制御部を有しているものである。
【００１２】
そして、制御部により駆動部を制御して移動体の移動を任意に可変させることにより、仕分ける物品の特徴などに応じて移動体の移動を最適に設定することが可能となり、物品が確実に仕分けられる。
【００１３】
請求項４記載の物品仕分装置は、請求項１ないし３いずれか記載の物品仕分装置において、駆動手段は、回転部の軸を中心として対称な両側にそれぞれ配設され、接離手段は、前記回転部の両側の各駆動手段毎にそれぞれ設けられているものである。
【００１４】
そして、回転部の軸を中心として対称な両側に駆動手段をそれぞれ配設したことにより、台車の回転部をいずれの方向にも回転させることが可能で、台車の両側のいずれにも物品を仕分けられ、しかも、台車には１つの回転部を設けるだけで済み、複数台用いる台車の構成が簡略化される。
【発明の効果】
【００１５】
請求項１記載の物品仕分装置によれば、移動経路の仕分位置に、台車移動方向に沿った方向に回転可能で台車の回転部の周面に対向して配設された移動体、およびこの移動体を移動させる駆動部を有する駆動手段を設け、この駆動手段の移動体を台車の回転部に対して接離させることにより、台車の移動速度に関係なく、台車の物品送出部の送出速度を任意に設定でき、物品を確実に仕分けることができる。
【００１６】
請求項２記載の物品仕分装置によれば、請求項１記載の物品仕分装置の効果に加えて、駆動手段をベルトコンベヤにて構成したことにより、簡単な構成で、台車の物品送出部の送出速度を容易に設定できる。
【００１７】
請求項３記載の物品仕分装置によれば、請求項１または２記載の物品仕分装置の効果に加えて、制御部により駆動部を制御して移動体の移動を任意に可変させることにより、仕分ける物品の特徴などに応じて移動体の移動を最適に設定することができ、物品を確実に仕分けることができる。
【００１８】
請求項４記載の物品仕分装置によれば、請求項１ないし３いずれか記載の物品仕分装置の効果に加えて、回転部の軸を中心として対称な両側に駆動手段をそれぞれ配設したことにより、台車の回転部をいずれの方向にも回転させることができて、台車の両側のいずれにも物品を仕分けることができ、しかも、台車には１つの回転部を設けるだけで済み、複数台用いる台車の構成を簡略化できる。
【発明を実施するための最良の形態】
【００１９】
以下、本発明の一実施の形態を図面を参照して説明する。
【００２０】
図１ないし図５に第１の実施の形態を示す。
【００２１】
図５に示すように、物品仕分装置11は、例えばレール部で構成されるループ状の移動経路12を有し、この移動経路12に沿って台車移動方向Ａに移動可能とする複数の台車13が配置されるとともに台車移動方向Ａの前後に隣接する台車13が互いに連結されて一連に構成されており、移動経路12に設けられる図示しない駆動機構によって複数の台車13が一体に台車移動方向Ａに移動する。移動経路12には、仕分対象物である物品を各台車13上に移載する移載コンベヤなどが設置された図示しない投入位置、および台車13上の物品を仕分指令に基づいて仕分ける複数の仕分位置14が設定され、各仕分位置14の一側には台車13から払い出される物品を受け入れる仕分部15がそれぞれ配設されている。
【００２２】
図１および図２に示すように、各台車13は、移動経路12に沿って移動可能に構成された図示しない台車本体を有し、この台車本体の上部に、物品を搭載するとともに台車移動方向Ａに対して交差する方向へ向けて搭載した物品を送り出す物品送出部18が設けられている。この物品送出部18は、物品を搭載して送り出し可能とする無端状の送出ベルト19を有し、この送出ベルト19が、物品の搭載面を構成するための一対のローラ20，21と、これらローラ20，21より下側に配置される一対のローラ22，23とに掛け渡されているとともに、両側のローラ24，25によってテンションがかけられている。
【００２３】
台車13の下部でかつ台車移動方向Ａに対して反対の後部一側には、台車移動方向Ａに対して交差する水平な軸26を中心として台車移動方向Ａに回転する車輪状の回転部27が配設されている。この回転部27の軸26と台車13の下部一側に配置される１つのローラ22とが例えばベベルギヤなどを用いて交差する軸間で回転力を伝達する伝達機構28を介して連結され、回転部27の回転と送出ベルト19の回転とが連動するように構成されている。
【００２４】
図１ないし図５に示すように、各仕分位置14には、仕分ける該当物品を搭載している台車13が到達したときに、その台車13から物品を仕分部15に払い出させる仕分ユニット31が配設されている。この仕分ユニット31は、台車13の回転部27に接触して回転させる駆動手段32、およびこの駆動手段32を台車13の回転部27に対して選択的に接離させる接離手段33を備えている。
【００２５】
駆動手段32は、図示しないコンベヤフレームを有し、このコンベヤフレームの両端にローラ34がそれぞれ回転自在に設けられているとともにこれらローラ34間に移動体としての無端回転体であるベルト35が掛け渡されたベルトコンベヤ36で構成されている。そして、このベルトコンベヤ36が台車13の回転部27の移動域下側で台車移動方向Ａに沿った方向に配設されるとともに台車13の回転部27の周面に対向してベルト35の対向面部位が台車移動方向Ａに沿った方向に移動つまり回転するように配設されている。ベルトコンベヤ36には、ベルト35を台車移動方向Ａに沿った方向に移動つまり回転駆動する駆動部としてのモータ37が配設され、このモータ37を制御してベルト35の回転方向および回転速度を任意に可変する制御部38が用いられている。
【００２６】
接離手段33は、ベルトコンベヤ36のベルト35を台車13の回転部27に接離させるためにベルトコンベヤ36を昇降させる複数のシリンダ39を備えている。
【００２７】
次に、物品仕分装置11による物品の仕分動作を説明する。
【００２８】
物品仕分装置11の稼動中は複数の台車13が移動経路12に沿って台車移動方向Ａに一体に移動しており、移動経路12の投入位置において物品が移載コンベヤなどによって所定の台車13の送出ベルト19上に移載され、送出ベルト19上に移載された物品は台車13とともに移動経路12に沿って台車移動方向Ａへ移動する。
【００２９】
移動経路12に沿って台車移動方向Ａへ移動する台車13が物品を仕分ける所定の仕分位置14以外の仕分位置14に到達するときには、図３に示すように、仕分ユニット31のベルトコンベヤ36が下降され、ベルト35が台車13の回転部27に接触しない退避位置に位置しているため、台車13上の物品は送出ベルト19に載ったままその仕分位置14を通過する。
【００３０】
移動経路12に沿って台車移動方向Ａへ移動する台車13が物品を仕分ける所定の仕分位置14に到達するときには、図４に示すように、仕分ユニット31が動作し、ベルトコンベヤ36のベルト35が所定の回転方向にかつ所定の回転速度で回転されるとともに、複数のシリンダ39によってベルトコンベヤ36が上昇され、ベルトコンベヤ36のベルト35に台車13の回転部27が接触して回転する。
【００３１】
台車13の回転部27の回転により、伝達機構28およびローラ22を介して送出ベルト19が回転し、送出ベルト19上の物品が一側へ向けて送り出されて仕分部15に払い出される。
【００３２】
このとき、ベルト35を台車移動方向Ａと同じ方向に正転させることにより、ベルト35の回転速度と台車13の移動速度との差が小さく、台車13の回転部27の回転速度が遅くなるとともに送出ベルト19の回転速度が遅くなり、送出ベルト19上の物品を確実に送り出して仕分けることができる。この場合には、ベルト35と台車13の回転部27との間の滑りや、台車13の送出ベルト19と物品との間の滑りを低減でき、例えば小形の物品や軽い物品などでも確実に仕分けることができる。
【００３３】
ベルト35を台車移動方向Ａに対して逆方向に逆転させることにより、台車13の移動速度との差が大きくなり、台車13の回転部27の回転速度が速くなるとともに送出ベルト19の回転速度が速くなり、送出ベルト19上の物品を速く送り出して仕分けることができる。この場合には、例えば大形の物品や重い物品などでも確実に仕分けることができる。
【００３４】
物品の仕分けが完了したら、複数のシリンダ39によってベルトコンベヤ36が下降し、ベルト35が台車13の回転部27から離反し、台車13の回転部27および送出ベルト19の回転が停止される。
【００３５】
このように、移動経路12の仕分位置14に、台車移動方向Ａに沿った方向に回転可能で台車13の回転部27の周面に対向して配設されたベルト35、およびこのベルト35を回転駆動するモータ37を有する駆動手段32を設け、この駆動手段32のベルト35を台車13の回転部27に対して接離させることにより、台車13の移動速度に関係なく、台車13の送出ベルト19の送出速度を任意に設定でき、物品を確実に仕分けることができる。
【００３６】
また、制御部38によりモータ37を制御してベルト35の回転を任意に可変させることにより、仕分ける物品の特徴などに応じてベルト35の回転を最適に設定することができ、物品を確実に仕分けることができる。例えば、制御部38によって、ベルト35と台車13の回転部27との接触初期時にはベルト35を正転させ、接触中期から接触後期にかけて、ベルト35を停止さらには逆転させるように可変するように制御すれば、ベルト35と台車13の回転部27との間の滑りや、台車13の送出ベルト19と物品との間の滑りを低減でき、そのうえで物品を所定の仕分部15に確実に仕分けることができる。
【００３７】
なお、台車13の下部一側に配置されるローラ22に対して一側仕分用の回転部27および伝達機構28を設けるのに加えて、台車13の下部他側に配置されるローラ23に対しても他側仕分用の回転部27および伝達機構28を同様に設け、さらに、各仕分位置14に一側仕分用および他側仕分用の回転部27の位置に対応して一側仕分用と他側仕分用の仕分ユニット31をそれぞれ配設することにより、物品を台車13の一側および他側の両側にそれぞれ仕分けることができる。
【００３８】
次に、図６ないし図８に第２の実施の形態を示す。
【００３９】
この第２の実施の形態では、移動経路12の各仕分位置14の一側および他側の両側に、台車13から払い出される物品を受け入れる仕分部15が配設されている両側仕分に対応する。
【００４０】
台車13の送出ベルト19が、両側のローラ51，52と中央下部のローラ53とに掛け渡されているとともに、一対のローラ54，55によってテンションがかけられている。
【００４１】
台車13の下部でかつ台車移動方向Ａに対して反対の後部中央には、台車移動方向Ａに対して交差する上下方向の軸26を中心として台車移動方向Ａに沿った方向に回転する車輪状の回転部27が配設されている。この回転部27の軸26と台車13の下部中央に配置された１つのローラ53とが回転力を伝達する伝達機構28を介して連結され、回転部27の回転と送出ベルト19の回転とが連動するように構成されている。
【００４２】
また、各仕分位置14には、仕分ける該当物品を搭載している台車13が到達したときに、その台車13から物品を一側および他側の仕分部15にそれぞれ仕分ける一側仕分用および他側仕分用の仕分ユニット31がそれぞれ配設されている。これら仕分ユニット31では、台車13の回転部27の軸26を中心として対称な両側に、ベルトコンベヤ36のベルト35が対向してそれぞれ配置されているとともに、ベルトコンベヤ36のベルト35を回転部27に対して接離させる複数のシリンダ39が配置されている。
【００４３】
そして、図７に示すように、一側仕分用の仕分ユニット31を作動させることにより、ベルトコンベヤ36のベルト35に台車13の回転部27の一側が接触して回転し、この回転部27の回転により伝達機構28およびローラ53を介して送出ベルト19が回転し、送出ベルト19上の物品が一側へ向けて送り出されて一側の仕分部15に仕分けられる。
【００４４】
また、図８に示すように、他側仕分用の仕分ユニット31を作動させることにより、ベルトコンベヤ36のベルト35に台車13の回転部27の他側が接触して回転し、この回転部27の回転により伝達機構28およびローラ53を介して送出ベルト19が回転し、送出ベルト19上の物品が他側へ向けて送り出されて他側の仕分部15に仕分けられる。
【００４５】
このように、回転部27の軸26を中心として対称な両側に駆動手段32をそれぞれ配設したことにより、台車13の回転部27をいずれの方向にも回転させることができて、台車13の両側のいずれにも物品を仕分けることができ、しかも、台車13には１つの回転部27を設けるだけで済み、複数台用いる台車13の構成を簡略化できる。
【００４６】
なお、駆動手段32は、移動体としてのベルト35を用いたベルトコンベヤ36で構成することにより、簡単な構成で、台車13の送出ベルト19の送出速度を容易に設定できるが、移動体としては、ベルト35に限らず、例えば台車13の回転部27が接触可能とする接触板でも、この接触板を台車移動方向Ａに沿った方向に移動させるように構成すれば、ベルト35と同様の作用効果が得られる。
【図面の簡単な説明】
【００４７】
【図１】本発明の第１の実施の形態を示す物品仕分装置の台車および駆動手段の背面図である。
【図２】同上物品仕分装置の台車および駆動手段の平面図である。
【図３】同上物品仕分装置の駆動手段の非仕分時の動作状態を示す側面図である。
【図４】同上物品仕分装置の駆動手段の仕分時の動作状態を示す側面図である。
【図５】同上物品仕分装置の平面図である。
【図６】本発明の第２の実施の形態の物品仕分装置の台車の背面図である。
【図７】同上物品仕分装置の左仕分の平面図である。
【図８】同上物品仕分装置の右仕分の平面図である。
【符号の説明】
【００４８】
11    物品仕分装置
12    移動経路
13    台車
14    仕分位置
18    物品送出部
26    軸
27    回転部
32    駆動手段
33    接離手段
35    移動体としてのベルト
37    駆動部としてのモータ
38    制御部
Ａ    台車移動方向
【図１】
2005350169.tif 000003
【図２】
2005350169.tif 000004
【図３】
2005350169.tif 000005
【図４】
2005350169.tif 000006
【図５】
2005350169.tif 000007
【図６】
2005350169.tif 000008
【図７】
2005350169.tif 000009
【図８】
2005350169.tif 000010